(57)【要約】【課題】配電系統における誤配線の検知を安全かつ容易に行えるようにする。【解決手段】誤配線検知装置として、検知対象の配電系統の電圧波形を検知し対応する第１の信号を形成する検知部と、該第１の信号を、基準の配電系統の電圧波形に基づき形成された第２の信号と比較し該比較結果から誤配線を判定する判定部とを備えた構成とする。【選択図】　図２
2004028773.tif 000002
【特許請求の範囲】
【請求項１】
受配電系統または送配電系統の誤配線を検知する誤配線検知装置であって、
検知対象の配電系統の電圧波形を検知し、対応する第１の信号を形成する検知部と、
上記第１の信号を、基準の配電系統の電圧波形に基づき形成された第２の信号と比較し、該比較結果から誤配線を判定する判定部と、
を備えた構成を特徴とする誤配線検知装置。
【請求項２】
受配電系統または送配電系統の誤配線を検知する誤配線検知装置であって、
検知対象の配電系統の電圧波形を検知し、対応する第１の信号を形成する第１の検知部と、
基準の配電系統の電圧波形を検知し、対応する第２の信号を形成する第２の検知部と、
上記第１の信号を上記第２の信号と比較し、上記検知対象の配電系統における誤配線を判定する判定部と、
を備えた構成を特徴とする誤配線検知装置。
【請求項３】
受配電系統または送配電系統の誤配線を検知する誤配線検知装置であって、
検知対象の配電系統の電圧波形を検知し、Ａ／Ｄ変換して、対応する第１のデジタル信号を形成する検知部と、
上記第１のデジタル信号を、基準の第２のデジタル信号と比較し、上記検知対象の配電系統における誤配線を判定する判定部と、
を備えた構成を特徴とする誤配線検知装置。
【請求項４】
受配電系統または送配電系統の誤配線を検知する誤配線検知装置であって、
検知対象の配電系統の電圧波形を検知し、Ａ／Ｄ変換して、対応する第１のデジタル信号を形成する第１の検知部と、
基準の配電系統の電圧波形を検知し、Ａ／Ｄ変換して、対応する第２のデジタル信号を形成する第２の検知部と、
上記第１のデジタル信号を上記第２のデジタル信号と比較し、上記検知対象の配電系統における誤配線を判定する判定部と、
を備えた構成を特徴とする誤配線検知装置。
【請求項５】
受配電系統または送配電系統の誤配線を検知する誤配線検知装置であって、
検知対象の配電系統から得られる第１の信号を、基準の配電系統から得られる第２の信号、または予め記憶された基準情報から得られる第２の信号と比較する手段を備え、該比較結果に基づき誤配線を検知することを特徴とする誤配線検知装置。
【発明の詳細な説明】
【０００１】
【発明の属する技術分野】
本発明は受配電系統または送配電系統における誤配線を検知する技術に関する。
【０００２】
【従来の技術】
例えば受配電系統において誤配線があると、負荷のアンバランスが発生し、力率の低下によって電力損失が増大し、場合によっては短絡事故等を招くこともある。このため、従来は、誤配線の事前チェックとして、（１）配電系統図等図面によりチェックする、（２）基準回路からチェック対象回路までの実配線を目視によりチェックする、（３）基準回路とチェック対象回路との間のケーブルの片端を短絡し、他端で導通チェックを行う、などを行っていた。
【０００３】
【発明が解決しようとする課題】
上記従来のチェック技術では、信頼性が高い安全なチェックを行うことが難しく、例えば、（１）の方法では、配線と相内容との関係が記号や配線名等で図面に示されていない場合には、チェックが不可能であるし、また、図示されていて図面上の確認ができたとしても、あくまでも図面上の確認に過ぎず、実配線において誤った配線がされていた場合にはこれをチェックすることができない。（２）の方法では、配線が埋設されていたり、天井配線されていたり、結束されていたり、他のケーブルといっしょに配線されている等の場合には、チェックが困難である。特に、高圧配線の場合などは、地絡事故の危険性の点から、活線に接触することができないことが多いため、特に困難である。（３）の方法では、チェックを行うとき停電状態にする必要がある上、さらに、基準回路とチェック対象回路との間のケーブルに負荷が接続されている場合には、該負荷を通じて導通状態となることがあり、正確なチェックができないことも多い。このため、該負荷を切り離す必要があり、煩雑な操作を伴うことになる。
本発明の課題点は、上記従来技術の状況に鑑み、誤配線検知技術において、正確なチェックを安全かつ容易に行えるようにすることである。
本発明の目的は、かかる課題点を解決できる技術の提供にある。
【０００４】
【課題を解決するための手段】
上記課題点を解決するために、本発明では、基本的に、受配電系統または送配電系統における誤配線を検知する誤配線検知装置において、検知対象の配電系統から得た信号を、基準の信号と比較し、配電系統の誤配線を検知する。具体的には、誤配線検知装置として、（１）検知対象の配電系統の電圧波形を検知し、対応する第１の信号を形成する検知部と、該第１の信号を、基準の配電系統の電圧波形に基づき形成された第２の信号と比較し、該比較結果から誤配線を判定する判定部とを備えた構成とする。（２）検知対象の配電系統の電圧波形を検知し、対応する第１の信号を形成する第１の検知部（該当実施例：符号４、４’）と、基準の配電系統の電圧波形を検知し、対応する第２の信号を形成する第２の検知部（該当実施例：符号３、３’、１８）と、上記第１の信号を上記第２の信号と比較し、上記検知対象の配電系統における誤配線を判定する判定部（該当実施例：符号５、５’、１９、２２）とを備えた構成とする。（３）検知対象の配電系統の電圧波形を検知し、Ａ／Ｄ変換して、対応する第１のデジタル信号を形成する検知部（該当実施例：符号４’）と、上記第１のデジタル信号を、基準の第２のデジタル信号と比較し、上記検知対象の配電系統における誤配線を判定する判定部（該当実施例：符号５’）とを備えた構成とする。（４）検知対象の配電系統の電圧波形を検知し、Ａ／Ｄ変換して、対応する第１のデジタル信号を形成する第１の検知部（該当実施例：符号４’）と、基準の配電系統の電圧波形を検知し、Ａ／Ｄ変換して、対応する第２のデジタル信号を形成する第２の検知部（該当実施例：符号３’）と、上記第１のデジタル信号を上記第２のデジタル信号と比較し、上記検知対象の配電系統における誤配線を判定する判定部（該当実施例：符号５’）とを備えた構成とする。（５）検知対象の配電系統から得られる第１の信号を、基準の配電系統から得られる第２の信号、または予め記憶された基準情報から得られる第２の信号と比較する手段（該当実施例：符号５、５’、１９、２２）を備え、該比較結果に基づき誤配線を検知する構成とする。
【０００５】
【発明の実施の形態】
以下、本発明の実施例につき、図面を用いて説明する。
図１〜図３は、本発明の第１の実施例の説明図である。図１は配電系統図、図２は誤配線検知系のブロック図、図３は、図２の誤配線検知系における検知波形例図である。
本実施例は、誤配線チェックの基準となる信号を、受配電系統側において形成する場合の構成例である。
図１において、１は基準の受配電系統、２は、誤配線検知対象の受配電系統、３は、基準の受配電系統１の電圧波形を検知し対応する信号を形成する検知部（以下、基準電圧検知部という）、４は、誤配線検知対象の受配電系統２の電圧波形を検知し対応する信号を形成する検知部（以下、対象電圧検知部という）、５は、基準電圧検知部３の出力と対象電圧検知部４の出力とを比較し該比較結果に基づき誤配線の判定を行う判定部である。かかる構成において、基準電圧検知部３と対象電圧検知部４はいずれも、３相の線間電圧を検知し、それぞれの線間電圧に基づき対応する矩形状波形の信号を形成する。判定部５では、基準電圧検知部３から出力される矩形状波形信号と、対象電圧検知部４から出力される矩形状波形信号とを比較し合致性を判定する。
【０００６】
図２は、図１における誤配線検知系のブロック図である。
図２において、Ｕ、Ｖ、Ｗは基準の受配電系統の相線、Ｐ、Ｑ、Ｒは配線チェック対象の受配電系統の相線、３は基準電圧検知部、４は対象電圧検知部、５は判定部、６は、基準の受配電系統の相線Ｕ、Ｖ、Ｗから線間電圧を取り込み、変圧して基準電圧検知部３側に供給するための第１の変圧器、７は、誤配線検知等配線チェック対象の受配電系統の相線Ｐ、Ｑ、Ｒから線間電圧を取り込み、変圧して対象電圧検知部４側に供給するための第２の変圧器、８は、基準電圧検知部３内において基準の線間電圧が入力される第１の入力部、９は、同じく基準電圧検知部３内において入力された３相の線間電圧を検知し、それぞれの線間電圧に基づき対応する矩形状波形信号を形成する第１の検知用信号形成部、１０は、該形成された矩形状波形信号を外部に出力する第１の出力部、１１は、対象電圧検知部４内において検知対象の線間電圧が入力される第２の入力部、１２は、同じく対象電圧検知部４内において入力された３相の線間電圧を検知し、それぞれの線間電圧に基づき対応する矩形状波形信号を形成する第２の検知用信号形成部、１３は、該形成された矩形状波形信号を外部に出力する第２の出力部、１４は、判定部５内において基準電圧検知部３側からの矩形状波形信号と対象電圧検知部４側からの矩形状波形信号とが入力される第３の入力部、１５は、同じく判定部５内において該両矩形状波形信号を比較し合致性を判別する比較部、１６は、該判別結果を、例えば、波形、対応表、タイミングチャートなどで表示する表示部である。かかる構成において、基準電圧検知部３内の第１の検知用信号形成部９では、相線Ｕ、Ｖ、Ｗからの３相の線間電圧それぞれの波形のゼロクロス点に基づき対応する矩形状波形信号を形成する。また、対象電圧検知部４内の第２の検知用信号形成部１２では、相線Ｐ、Ｑ、Ｒからの３相の線間電圧それぞれの波形のゼロクロス点に基づき対応する矩形状波形信号を形成する。また、判定部５内の比較部１５では、基準電圧検知部３側から入力される矩形状波形信号を基準にして、対象電圧検知部４側からの矩形状波形信号をこれと比較する。合致性の判別結果としては、相線Ｐ、Ｑ、Ｒからの３相線間電圧のそれぞれが、相線Ｕ、Ｖ、Ｗからの３相線間電圧のいずれに該当するか、相線Ｐ、Ｑ、Ｒの配線に誤配線はないか、誤配線がある場合は、相線Ｐ、Ｑ、Ｒの配線のうちいずれが誤っているか等を求めるようになっている。表示部１６では、該判別結果を表示する。基準電圧検知部３側からの矩形状波形信号や対象電圧検知部４側からの矩形状波形信号は、判定部５側に対し、有線または無線により伝送される。
【０００７】
図３は、図２の誤配線検知系における検知波形の例を示す。（ａ）は、基準電圧検知部３内の信号波形の例、（ｂ）は対象電圧検知部４内の信号波形の例を示す。
図３（ａ）において、（１）は、第１の入力部８に入力される３相の線間電圧（ＵＶ間電圧、ＶＷ間電圧、ＷＵ間電圧）の入力波形、（２）は、第１の検知用信号形成部９で、上記３相の線間電圧（ＵＶ間電圧、ＶＷ間電圧、ＷＵ間電圧）の波形に基づき形成される矩形状波形信号である。また、図３（ｂ）において、（１）は、第２の入力部１１に入力される３相の線間電圧（ＰＱ間電圧、ＱＲ間電圧、ＲＰ間電圧）の入力波形、（２）は、第２の検知用信号形成部１２で、上記３相の線間電圧（ＰＱ間電圧、ＱＲ間電圧、ＲＰ間電圧）の波形に基づき形成される矩形状波形信号である。（ａ）、（ｂ）のいずれにおいても、（２）の矩形状波形信号は、（１）の線間電圧波形のゼロクロス点に基づいて形成され、本実施例では、（１）の線間電圧波形が正極の場合は、（２）の矩形状波形信号も正極の信号とされる。上記図２の判定部５における比較部１５では、上記（ｂ）の（２）の矩形状波形信号を上記（ａ）の（２）の矩形状波形信号と比較し、該（ｂ）の（２）の矩形状波形信号の、該（ａ）の（２）の矩形状波形信号に対する合致性から、相線Ｐ、Ｑ、Ｒの誤配線等を判別する。本実施例では、（ｂ）の（２）のＰＱ間電圧に対応する矩形状波形信号は、（ａ）の（２）のＵＶ間電圧に対応する矩形状波形信号と合致し、（ｂ）の（２）のＱＲ間電圧に対応する矩形状波形信号は、（ａ）の（２）のＶＷ間電圧に対応する矩形状波形信号と合致し、（ｂ）の（２）のＲＰ間電圧に対応する矩形状波形信号は、（ａ）の（２）のＷＵ間電圧に対応する矩形状波形信号と合致している。このため、ＰＱ間電圧はＵＶ間電圧に対応し、ＱＲ間電圧はＶＷ間電圧に対応し、ＲＰ間電圧はＷＵ間電圧に対応する。すなわち、ＰはＵに対応し、ＱはＶに対応し、ＲはＷに対応する。この結果、チェック対象の受配電系統における配線は、基準の受配電系統の相順と同じ相順となっており、誤配線はないと判断される。判定部５内の比較部１５では該合致性を判別結果として出力し、表示部１６においてこれを表示する。
【０００８】
上記第１の実施例によれば、受配電系統において、正確な誤配線チェックを安全かつ容易に行うことができる。また、配線チェックを容易に行えることで、例えば、電力需要側における個々の相負荷バランス等が向上し、力率の改善、電力損失の低減等が可能となり、全体としても省エネルギー化が実現される。また、相を特定できないことに起因して発生する接地短絡事故なども未然に防ぐことができる。さらには、電力会社等電力供給側においても、送電ポイントや、電力需要側の末端回路などまでにわたり、相の整合性をとれるようになり、この結果、送配電の品質向上、安全性確保、平準化等が可能となる。
【０００９】
図４は、本発明の第２の実施例の説明図で、誤配線検知系のブロック図を示す。
本実施例は、基準電圧検知部、対象電圧検知部のそれぞれにおいて、入力された線間電圧に対応する矩形状波形信号は形成せず、該入力された線間電圧をサンプリングしてデジタル信号に変換し、出力する場合の構成例である。本実施例の場合も、基準電圧検知部は受配電系統に設けるものとする。
図４において、Ｕ、Ｖ、Ｗは基準の受配電系統の相線、Ｐ、Ｑ、Ｒは配線チェック対象の受配電系統の相線、３’は基準電圧検知部、４’は対象電圧検知部、５’は判定部、６は、基準の受配電系統の相線Ｕ、Ｖ、Ｗから線間電圧を取り込み、変圧して基準電圧検知部３’側に供給するための第１の変圧器、７は、誤配線検知等配線チェック対象の受配電系統の相線Ｐ、Ｑ、Ｒから線間電圧を取り込み、変圧して対象電圧検知部４’側に供給するための第２の変圧器、８は、基準電圧検知部３’内において基準の線間電圧が入力される第１の入力部、３１は、入力された基準の線間電圧をＡ／Ｄ変換すなわちサンプリング後デジタル信号化する第１のＡ／Ｄ変換部、１０’は、該Ａ／Ｄ変換された信号を外部に出力する第１の出力部、１１は、対象電圧検知部４’内において検知対象の線間電圧が入力される第２の入力部、３２は、入力された検知対象の線間電圧をＡ／Ｄ変換すなわちサンプリング後デジタル信号化する第２のＡ／Ｄ変換部、１３’は、該Ａ／Ｄ変換された信号を外部に出力する第２の出力部、１４’は、判定部５’内において基準電圧検知部３’側からのデジタル信号と対象電圧検知部４’側からのデジタル信号とが入力される第３の入力部、１５’は、同じく判定部５’内において両デジタル信号を比較し合致性を判別する比較部、１６’は、該判別結果を表示する表示部である。かかる構成において、判定部５’内の比較部１５’では、基準電圧検知部３’側からのデジタル信号を基準にして、対象電圧検知部４’側からのデジタル信号をこれと比較する。上記合致性の判別結果としては、上記第１の実施例の場合と同様、相線Ｐ、Ｑ、Ｒからの３相線間電圧のそれぞれが、相線Ｕ、Ｖ、Ｗからの３相線間電圧のいずれに該当するか、相線Ｐ、Ｑ、Ｒの配線に誤配線はないか、誤配線がある場合は、相線Ｐ、Ｑ、Ｒの配線のうちいずれが誤っているか等を求める。
【００１０】
上記第２の実施例によっても、受配電系統において、正確な誤配線チェックを安全かつ容易に行うことができる。また、上記第１の実施例の場合と同様、相負荷バランス等が向上し、力率の改善、電力損失の低減等が可能となる。また、接地短絡事故なども未然に防ぐことができるし、電力会社等電力供給側においても、送配電の品質向上、安全性確保、平準化等が可能となる。
【００１１】
図５〜図７は、本発明の第３の実施例の説明図である。図５は配電系統図、図６は誤配線検知系のブロック図、図７は、図６の誤配線検知系における検知波形例図である。
本実施例は、基準の電圧波形を検知する基準電圧検知部を電力会社等が管理する送配電系統側に設けた場合の構成例である。
図５において、１７は、基準となる電力会社等送電側における配電系統（送配電系統）、２は、誤配線検知対象の配電系統（受配電系統）、１８は、基準の送配電系統１７の電圧波形を検知し対応する信号を形成する基準電圧検知部、４は、誤配線検知対象の受配電系統２の電圧波形を検知し対応する信号を形成する対象電圧検知部、１９は、基準電圧検知部１８の出力と対象電圧検知部４の出力とを比較し該比較結果に基づき誤配線の判定を行う判定部である。本実施例の場合も、かかる構成において、基準電圧検知部１８と対象電圧検知部４はいずれも、３相の線間電圧を検知し、それぞれの線間電圧に基づき対応する矩形状波形の信号を形成する。判定部１９では、基準電圧検知部１８から出力される矩形状波形信号と、対象電圧検知部４から出力される矩形状波形信号とを比較し合致性を判定する。
【００１２】
図６は、図５における誤配線検知系のブロック図である。
図６において、Ｕ０、Ｖ０、Ｗ０は基準の送配電系統の相線、Ｐ、Ｑ、Ｒは配線チェック対象の受配電系統の相線、１８は基準電圧検知部、４は対象電圧検知部、１９は判定部、６は、基準の送配電系統の相線Ｕ０、Ｖ０、Ｗ０から線間電圧を取り込み、変圧して基準電圧検知部１８側に供給するための第１の変圧器、７は、誤配線検知等配線チェック対象の受配電系統の相線Ｐ、Ｑ、Ｒから線間電圧を取り込み、変圧して対象電圧検知部４側に供給するための第２の変圧器、８’’は、基準電圧検知部１８内において基準の線間電圧が入力される第１の入力部、９’’は、同じく基準電圧検知部１８内において入力された３相の線間電圧を検知し、それぞれの線間電圧に基づき対応する矩形状波形信号を形成する第１の検知用信号形成部、１０’’は、該形成された矩形状波形信号を外部に出力する第１の出力部、１１は、対象電圧検知部４内において検知対象の線間電圧が入力される第２の入力部、１２は、同じく対象電圧検知部４内において入力された３相の線間電圧を検知し、それぞれの線間電圧に基づき対応する矩形状波形信号を形成する第２の検知用信号形成部、１３は、該形成された矩形状波形信号を外部に出力する第２の出力部、１４’’は、判定部１９内において基準電圧検知部１８側からの矩形状波形信号と対象電圧検知部４側からの矩形状波形信号とが入力される第３の入力部、１５’’は、同じく判定部１９内において両矩形状波形信号を比較し合致性を判別する比較部、１６’’は、該判別結果を表示する表示部である。かかる構成において、基準電圧検知部１８内の第１の検知用信号形成部９’’では、相線Ｕ０、Ｖ０、Ｗ０からの３相の線間電圧それぞれの波形のゼロクロス点に基づき対応した矩形状波形信号を形成する。また、対象電圧検知部４内の第２の検知用信号形成部１２では、相線Ｐ、Ｑ、Ｒからの３相の線間電圧それぞれの波形のゼロクロス点に基づき対応した矩形状波形信号を形成する。また、判定部１９内の比較部１５’’では、基準電圧検知部１８側からの矩形状波形信号を基準にして、対象電圧検知部４側からの矩形状波形信号をこれと比較する。合致性の判別結果としては、相線Ｐ、Ｑ、Ｒからの３相線間電圧のそれぞれが、相線Ｕ０、Ｖ０、Ｗ０からの３相線間電圧のいずれに該当するか、相線Ｐ、Ｑ、Ｒの配線に誤配線はないか、誤配線がある場合は、相線Ｐ、Ｑ、Ｒの配線のうちいずれが誤っているか等を求めるようになっている。表示部１６’’では、かかる判別結果を表示する。基準電圧検知部１８側からの矩形状波形信号や対象電圧検知部４側からの矩形状波形信号は、判定部１９側に対し、有線方式または無線方式により伝送される。
【００１３】
図７は、図６の誤配線検知系における検知波形例を示す図である。（ａ）は、基準電圧検知部１８内の信号波形例、（ｂ）は対象電圧検知部４内の信号波形例を示す。
図７（ａ）において、（１）は、第１の入力部８’’に入力される３相の線間電圧（Ｕ０Ｖ０間電圧、Ｖ０Ｗ０間電圧、Ｗ０Ｕ０間電圧）の入力波形、（２）は、第１の検知用信号形成部９’’において、上記３相の線間電圧（Ｕ０Ｖ０間電圧、Ｖ０Ｗ０間電圧、Ｗ０Ｕ０間電圧）の波形に基づき形成される矩形状波形信号である。また、図７（ｂ）において、（１）は、第２の入力部１１に入力される３相の線間電圧（ＰＱ間電圧、ＱＲ間電圧、ＲＰ間電圧）の入力波形、（２）は、第２の検知用信号形成部１２において、上記３相の線間電圧（ＰＱ間電圧、ＱＲ間電圧、ＲＰ間電圧）の波形に基づき形成される矩形状波形信号である。（ａ）、（ｂ）のいずれにおいても、（２）の矩形状波形信号は、（１）の線間電圧波形のゼロクロス点に基づいて形成され、本実施例の場合も、（１）の線間電圧波形が正極の場合は、（２）の矩形状波形信号も正極の信号とされる。上記図２の判定部１９における比較部１５’’では、上記（ｂ）の（２）の矩形状波形信号を、上記（ａ）の（２）の矩形状波形信号と比較し、該（ｂ）の（２）の矩形状波形信号の、該（ａ）の（２）の矩形状波形信号に対する合致性から、相線Ｐ、Ｑ、Ｒの誤配線等を判別する。本例では、（ｂ）の（２）のＰＱ間電圧に対応する矩形状波形信号は、（ａ）の（２）のＵ０Ｖ０間電圧に対応する矩形状波形信号と合致し、（ｂ）の（２）のＱＲ間電圧に対応する矩形状波形信号は、（ａ）の（２）のＶ０Ｗ０間電圧に対応する矩形状波形信号と合致し、（ｂ）の（２）のＲＰ間電圧に対応する矩形状波形信号は、（ａ）の（２）のＷ０Ｕ０間電圧に対応する矩形状波形信号と合致しているため、ＰＱ間電圧はＵ０Ｖ０間電圧に対応し、ＱＲ間電圧はＶ０Ｗ０間電圧に対応し、ＲＰ間電圧はＷ０Ｕ０間電圧に対応する。すなわち、ＰはＵ０に対応し、ＱはＶ０に対応し、ＲはＷ０に対応している。この結果、チェック対象の受配電系統における配線は、基準の送配電系統の相順と同じ相順となっており、誤配線にはなっていないことになる。判定部１９の比較部１５’’では該合致性を判別結果として出力し、表示部１６’’がこれを表示する。
【００１４】
上記第３の実施例によれば、受配電系統において、正確な誤配線チェックを安全かつ容易に行うことができる。また、上記第１、第２の実施例の場合と同様、相負荷バランス等が向上し、力率の改善、電力損失の低減等が可能となる。接地短絡事故などを未然に防ぐこともできるし、電力会社等電力供給側において、送配電の品質向上、安全性確保、平準化等も可能となる。
【００１５】
図８、図９は、本発明の第４の実施例の説明図である。図８は誤配線検知系のブロック図、図９は、図８の誤配線検知系における検知波形例図である。
本実施例は、誤配線チェックを行う判定部として、誤配線として相順の誤りを検知したときには、該相順を該判定部内で仮想的に正しく入替えることができるようにした場合の構成例である。本実施例も、誤配線チェックの基準となる信号は、受配電系統側において形成するものとする。
図８において、Ｕ、Ｖ、Ｗは基準の受配電系統の相線、Ｐ、Ｑ、Ｒは配線チェック対象の受配電系統の相線、３は基準電圧検知部、４は対象電圧検知部、２２は判定部、６は、基準の受配電系統の相線Ｕ、Ｖ、Ｗから線間電圧を取り込み、変圧して基準電圧検知部３側に供給するための第１の変圧器、７は、誤配線検知等配線チェック対象の受配電系統の相線Ｐ、Ｑ、Ｒから線間電圧を取り込み、変圧して対象電圧検知部４側に供給するための第２の変圧器、８は、基準電圧検知部３内において基準の線間電圧が入力される第１の入力部、９は、同じく基準電圧検知部３内において入力された３相の線間電圧を検知し、それぞれの線間電圧に基づき対応する矩形状波形信号を形成する第１の検知用信号形成部、１０は、該形成された矩形状波形信号を外部に出力する第１の出力部、１１は、対象電圧検知部４内において検知対象の線間電圧が入力される第２の入力部、１２は、同じく対象電圧検知部４内において入力された３相の線間電圧を検知し、それぞれの線間電圧に基づき対応する矩形状波形信号を形成する第２の検知用信号形成部、１３は、該形成された矩形状波形信号を外部に出力する第２の出力部、１４は、判定部２２内において基準電圧検知部３側からの矩形状波形信号と対象電圧検知部４側からの矩形状波形信号とが入力される第３の入力部、１５は、同じく判定部２２内において両矩形状波形信号を比較し合致性を判別する比較部、２３は、相数、相順、結線構造などを設定し、対応した信号を出力する設定部、２４は、比較部１５で判別した誤配線を、該設定部２３からの出力信号に基づき、正しい配線に仮想的に入替処理する処理部、１６は、該判別結果を、対応表、波形、タイミングチャートなどで表示する表示部である。かかる構成において、基準電圧検知部３内の第１の検知用信号形成部９では、相線Ｕ、Ｖ、Ｗからの３相の線間電圧それぞれの波形のゼロクロス点に基づき対応した矩形状波形信号を形成する。また、対象電圧検知部４内の第２の検知用信号形成部１２では、相線Ｐ、Ｑ、Ｒからの３相の線間電圧それぞれの波形のゼロクロス点に基づき対応した矩形状波形信号を形成する。また、判定部２２内の比較部１５では、基準電圧検知部３側からの矩形状波形信号を基準にして、対象電圧検知部４側からの矩形状波形信号をこれと比較する。表示部１６では、かかる判別結果を表示する。基準電圧検知部３側からの矩形状波形信号や対象電圧検知部４側からの矩形状波形信号は、判定部２２側に対し、有線または無線により伝送される。
【００１６】
図９は、図８の誤配線検知系における検知波形例を示す図である。（ａ）は、基準電圧検知部３内の信号波形例、（ｂ）は対象電圧検知部４内の信号波形例を示す。
図９（ａ）において、（１）は、第１の入力部８に入力される３相の線間電圧（ＵＶ間電圧、ＶＷ間電圧、ＷＵ間電圧）の入力波形、（２）は、第１の検知用信号形成部９で、上記３相の線間電圧（ＵＶ間電圧、ＶＷ間電圧、ＷＵ間電圧）の波形に基づき形成される矩形状波形信号である。また、図９（ｂ）において、（１）は、第２の入力部１１に入力される３相の線間電圧（ＰＱ間電圧、ＱＲ間電圧、ＲＰ間電圧）の入力波形、（２）は、第２の検知用信号形成部１２で、上記３相の線間電圧（ＰＱ間電圧、ＱＲ間電圧、ＲＰ間電圧）の波形に基づき形成される矩形状波形信号である。本実施例の場合も、（ａ）、（ｂ）のいずれにおいても、（２）の矩形状波形信号は、（１）の線間電圧波形のゼロクロス点に基づいて形成され、（１）の線間電圧波形が正極の場合は、（２）の矩形状波形信号も正極の信号とされる。上記図８の判定部２２における比較部１５では、上記（ｂ）の（２）の矩形状波形信号を上記（ａ）の（２）の矩形状波形信号と比較し、合致性を判別する。本例では、（ｂ）の（２）のＰＱ間電圧に対応する矩形状波形信号は、（ａ）の（２）のＷＵ間電圧に対応する矩形状波形信号と合致し、（ｂ）の（２）のＱＲ間電圧に対応する矩形状波形信号は、（ａ）の（２）のＵＶ間電圧に対応する矩形状波形信号と合致し、（ｂ）の（２）のＲＰ間電圧に対応する矩形状波形信号は、（ａ）の（２）のＶＷ間電圧に対応する矩形状波形信号と合致している。このため、ＰＱ間電圧はＷＵ間電圧に対応し、ＱＲ間電圧はＵＶ間電圧に対応し、ＲＰ間電圧はＶＷ間電圧に対応する。すなわち、ＰはＷに対応し、ＱはＵに対応し、ＲはＶに対応している。この結果、チェック対象の受配電系統における配線は、基準の受配電系統の相順とは異なった相順となっており、誤配線であると判別される。該判別結果は比較部１５から出力され、処理部２４に入力される。処理部２４では、設定部２３からの出力信号により、正しい相順に仮想的に入替処理する。該処理結果は表示部１６において表示される。これによって、誤った相順をどう修正すればよいかが容易に判明する。
【００１７】
上記第４の実施例によれば、受配電系統において、正確な誤配線チェックを安全かつ容易に行うことができる。特に、判定部２２では誤った配線の修正についても表示されるため、誤配線の修正が容易となる。また、上記第１、第２、第３の実施例の場合と同様、力率の改善、電力損失の低減等が可能となる。また、接地短絡事故なども未然に防ぐことができるし、電力会社等電力供給側においても、送配電の品質向上、安全性確保、平準化等が可能となる。
なお、上記図８に示す構成において、判定部２２における設定部２３と処理部２４は、基準電圧検知部３または対象電圧検知部４における相数、相順、結線構造などを新たに設定して入替えることができる構成としてもよい。
【００１８】
図１０は、上記各実施例における表示部１６、１６’、１６’’における表示の説明図である。（ａ）は、基準電圧検知部３、３’、１８や対象電圧検知部４、４’からの信号であって、正弦波状波形信号２５の表示例、（ｂ）は、基準電圧検知部３、３’、１８や対象電圧検知部４、４’からの信号であって、矩形状波形信号２６の表示例、（ｃ）は、判定部５、５’、１９、２２内における判定結果としてのベクトル２７の表示例である。
【００１９】
なお、上記各実施例構成における判定部での判別結果を、該判定部の第３の入力部から、対象電圧検知部の第２の出力部にフィードバックし、これによって、例えば相順を該対象電圧検知部内で入替えるようにしてもよい。また、基準電圧検知部、対象電圧検知部などを送配電系統側に設け、送配電系統側において誤配線の検知を行う構成としてもよい。また、上記第２の実施例における上記基準電圧検知部３’、または、該基準電圧検知部３’及び対象電圧検知部４’を送配電系統側に設けてもよい。また、検知用信号形成部では、ゼロクロス点を通過した時点のトリガ波形を検知用信号として形成してもよい。また、上記各実施例では、３相３線式の場合につき説明したが、本発明はこれに限定されず、例えば、単相２線式、単相３線式、３相４線式等であってもよい。また、判定部に入力する信号の相数は、複数相に限らず、１相であってもよい。さらに、上記各実施例では、判定部での比較の基準とする基準信号を、基準となる配電系統の電圧から生成する構成としているが、この他、該基準信号は、メモリ等に予め記憶しておいたものを読み出して用いるようにしてもよい。また、上記実施例では、基準電圧検知部や対象電圧検知部において、検知用信号形成部により、ゼロクロス点に基づく矩形状波形信号を形成したり、Ａ／Ｄ変換部により、デジタル信号を形成したりしているが、本発明は、これにも限定されず、該基準電圧検知部や該対象電圧検知部において、ゼロクロス点に基づく矩形状波形信号の形成や、デジタル信号化などを行わず、例えば、それぞれの入力部に入力された電圧波形のままの信号を出力して判定部側に入力し、該判定部において該信号間の合致性を判定するようにしてもよい。配電系統から取り込んだ電圧波形のままの信号を判定部側に入力する場合、基準電圧検知部や対象電圧検知部を通さずに、判定部の入力部に直接に配電系統からの信号を入力する構成としてもよい。
【００２０】
また、特許請求の範囲に記載の発明に関連した発明で、上記実施例に記載してある発明としては、受配電系統または送配電系統の誤配線を検知する誤配線検知装置であって、（１）検知対象の配電系統の電圧波形のゼロクロス点に基づき対応する第１の信号を形成し、基準の配電系統の電圧波形のゼロクロス点に基づき対応する第２の信号を形成する検知部と、上記第１の信号を上記第２の信号と比較し上記検知対象の配電系統における誤配線を判定する判定部とを備えるもの、（２）検知対象の配電系統の電圧波形が、基準の配電系統の電圧波形のいずれに対応するかを判定する判定手段を有するもの、（３）検知対象の配電系統の電圧波形を検知しＡ／Ｄ変換して得たデジタル信号を、基準のデジタル信号と比較し、該検知対象の配電系統における誤配線を検知するように構成された手段を備えるもの、（４）検知対象の配電系統から得られる第１の信号を、基準の第２の信号と比較して誤配線を検知するように構成された手段を備えるもの、（５）検知対象の配電系統の電圧波形を検知して第１の信号を形成し、該第１の信号を、基準の配電系統の電圧波形を検知して得た第２の信号と比較し、該第１の信号の該第２の信号との合致性により誤配線を検知するように構成された手段を備えるもの、（６）検知対象の配電系統の電圧波形を検知しＡ／Ｄ変換して第１のデジタル信号を形成し、該第１のデジタル信号を、基準の配電系統の電圧波形を検知しＡ／Ｄ変換して得た第２のデジタル信号と比較し、該第１のデジタル信号の該第２のデジタル信号との合致性により誤配線を検知するように構成された手段を備えるもの、等がある。
【００２１】
【発明の効果】
本発明によれば、配電系統において、正確な誤配線チェックを安全かつ容易に行うことができる。
【図面の簡単な説明】
【図１】本発明の第１の実施例の説明図であって配電系統を示す図である。
【図２】図１における誤配線検知系のブロック図である。
【図３】図２の誤配線検知系における検知波形例を示す図である。
【図４】本発明の第２の実施例の説明図で、誤配線検知系のブロック図である。
【図５】本発明の第３の実施例の説明図であって配電系統を示す図である。
【図６】図５における誤配線検知系のブロック図である。
【図７】図６の誤配線検知系における検知波形例を示す図である。
【図８】本発明の第４の実施例の説明図であって誤配線検知系のブロック図である。
【図９】図８の誤配線検知系における検知波形例を示す図である。
【図１０】表示部における表示例を示す図である。
【符号の説明】
１…基準の受配電系統、　２…誤配線検知対象の受配電系統、　３、３’、１８…基準電圧検知部、　４、４’…対象電圧検知部、　５、５’、１９、２２…判定部、　２３…設定部、　２４…処理部、　Ｕ、Ｖ、Ｗ、Ｕ０、Ｖ０、Ｗ０…基準の配電系統の相線、　Ｐ、Ｑ、Ｒ…チェック対象の配電系統の相線、　６…第１の変圧器、　７…第２の変圧器、　８、８’’…第１の入力部、　９、９’’…第１の検知用信号形成部、　１０、１０’、１０’’…第１の出力部、　１１…第２の入力部、　１２…第２の検知用信号形成部、　１３、１３’…第２の出力部、　１４、１４’、１４’’…第３の入力部、　１５、１５’、１５’’…比較部、　１６、１６’、１６’’…表示部、　１７…基準の送配電系統、　３１、３２…Ａ／Ｄ変換部。
【図１】
2004028773.tif 000003
【図２】
2004028773.tif 000004
【図３】
2004028773.tif 000005
【図４】
2004028773.tif 000006
【図５】
2004028773.tif 000007
【図６】
2004028773.tif 000008
【図７】
2004028773.tif 000009
【図８】
2004028773.tif 000010
【図９】
2004028773.tif 000011
【図１０】
2004028773.tif 000012